(57)【要約】      （修正有）【課題】インクの洗浄性、インクの充填性及び消泡性に優れる洗浄液を提供する。【解決手段】インクジェット記録装置のインク流路の洗浄に用いられる洗浄液は、水、水溶性有機溶媒、特定の一般構造式で表される化合物及び別の特定の一般構造式で表される化合物を含有する。【選択図】なし【特許請求の範囲】
【請求項１】
インクジェット記録装置のインク流路の洗浄に用いられる洗浄液であって、
水、水溶性有機溶媒、一般式
【化１】
2015186906.tif 000008
（式中、ｎは１以上４０以下の整数である。）
で表される化合物及び一般式
【化２】
2015186906.tif 000009
（式中、Ｒ１及びＲ２は、それぞれ独立に、炭素数が３個以上６個以下のアルキル基であり、Ｒ３及びＲ４は、それぞれ独立に、メチル基又はエチル基であり、ｎは１以上６以下の整数である。）
で表される化合物を含有することを特徴とする洗浄液。
【請求項２】
前記一般式（１）で表される化合物の含有量が０．０５質量％以上１質量％以下であることを特徴とする請求項１に記載の洗浄液。
【請求項３】
前記一般式（２）で表される化合物の含有量が０．１質量％以上０．５質量％以下であることを特徴とする請求項１又は２に記載の洗浄液。
【請求項４】
インクジェット記録装置の本体に着脱することが可能なカートリッジであって、
請求項１乃至３のいずれか一項に記載の洗浄液が収容されていることを特徴とするカートリッジ。
【請求項５】
インクジェット記録装置のインク流路を洗浄する方法であって、
請求項１乃至３のいずれか一項に記載の洗浄液を前記インク流路に供給して洗浄することを特徴とする洗浄方法。
【請求項６】
前記インク流路は、色材、水、水溶性有機溶媒及び界面活性剤を含有するインクが充填されていることを特徴とする請求項５に記載の洗浄方法。
【発明の詳細な説明】
【技術分野】
【０００１】
本発明は、インクジェットヘッドのインク流路の洗浄に用いられる洗浄液、カートリッジ及び洗浄方法に関する。
【背景技術】
【０００２】
インクジェットプリンターのインクジェットヘッドは、直径が５０μｍ以下の微細なオリフィスを有するノズル部、ノズル部に繋がる圧力発生部、液室部、フィルター部等のインク流路を有し、非常に高精度に加工されている。また、ノズル部は、ノズル数も多く、製品として出荷する前に全体が正常に動作し、吐出不良が起こっていないことを確かめるために、インクを充填し、不具合を検知している。ここで、インク流路に充填されたインクが外部に漏れて周囲を汚さないために、インク流路を洗浄する必要がある。
【０００３】
従来、インク流路を洗浄する際には、水や界面活性剤水溶液が用いられていた。
【０００４】
しかしながら、インクの洗浄性が不十分であったり、インクの充填性が不十分であったり、消泡性が不十分であったりするという問題があった。
【０００５】
特許文献１には、インクジェット記録装置及びインクジェット記録装置に用いるインクカートリッジの液体流路の洗浄液兼充填液が開示されている。このとき、洗浄液兼充填液は、一般式（１）で表される少なくとも１種の化合物を全体の０．０１〜１．０質量％、フッ素系界面活性剤を全体の０．０１〜１．０質量％、及び、水溶性有機溶剤と水を含有する。
【発明の概要】
【発明が解決しようとする課題】
【０００６】
しかしながら、インクの洗浄性をさらに向上させることが望まれている。
【０００７】
本発明の一態様は、上記従来技術が有する問題に鑑み、インクの洗浄性、インクの充填性及び消泡性に優れる洗浄液を提供することを目的とする。
【課題を解決するための手段】
【０００８】
本発明の一態様は、インクジェット記録装置のインク流路の洗浄に用いられる洗浄液であって、水、水溶性有機溶媒、一般式
【０００９】
【化１】
2015186906.tif 000002
（式中、ｎは１以上４０以下の整数である。）
で表される化合物及び一般式
【００１０】
【化２】
2015186906.tif 000003
（式中、Ｒ１及びＲ２は、それぞれ独立に、炭素数が３個以上６個以下のアルキル基であり、Ｒ３及びＲ４は、それぞれ独立に、メチル基又はエチル基であり、ｎは１以上６以下の整数である。）
で表される化合物を含有する。
【発明の効果】
【００１１】
本発明の一態様によれば、インクの洗浄性、インクの充填性及び消泡性に優れる洗浄液を提供することができる。
【図面の簡単な説明】
【００１２】
【図１】インクジェット記録装置の一例を示す斜視図である。
【図２】図１のインクジェット記録装置の全体構成を示す概略図である。
【図３】図１のインクジェットヘッドを示す概略拡大図である。
【図４】図１のインクカートリッジを示す概略図である。
【発明を実施するための形態】
【００１３】
次に、本発明を実施するための形態を図面と共に説明する。
【００１４】
洗浄液は、インクジェット記録装置のインク流路の洗浄に用いられ、水、水溶性有機溶媒、一般式（１）で表される化合物及び一般式（２）で表される化合物を含有する。洗浄液は、一般式（１）で表される化合物を含有するため、インク流路に充填されているインクに浸透する浸透力と、インク中の顔料の分散状態を保持できる分散力を兼ね備えており、インクの洗浄性に優れる。また、洗浄液は、一般式（２）で表される化合物を含有するため、消泡性に優れ、インクを充填した後に泡による吐出不良を抑制することができ、インクの充填性に優れる。
【００１５】
一般式（１）で表される化合物のｎの分布が異なる市販品としては、ＣＡＰＳＴＯＮＥ（登録商標）  ＦＳ−３０、ＦＳ−３１００、ＦＳ−３４（以上、Ｄｕｐｏｎｔ社製）等が挙げられる。
【００１６】
なお、一般式（１）で表される化合物のｎの分布は、ＮＭＲ及び質量分析により測定することができる。
【００１７】
洗浄液中の一般式（１）で表される化合物の含有量は、通常、０．０１〜２質量％であり、０．０５〜１質量％であることが好ましく、０．１〜０．５質量％であることがさらに好ましい。洗浄液中の一般式（１）で表される化合物の含有量が０．０１質量％以上であることにより、インクの洗浄性を向上させることができる。一方、洗浄液中の一般式（１）で表される化合物の含有量が２質量％以下であることにより、一般式（１）で表される化合物が溶解せずに洗浄液が白濁することを抑制できる。
【００１８】
一般式（２）で表される化合物としては、特に限定されないが、２，４，７，９−テトラメチル−４，７−デカンジオール等が挙げられる。
【００１９】
洗浄液中の一般式（２）で表される化合物の含有量は、通常、０．０１〜２質量％であり、０．１〜０．５質量％であることが好ましい。洗浄液中の一般式（２）で表される化合物の含有量が０．１質量％以上であることにより、インクの充填性を向上させることができる。一方、洗浄液中の一般式（２）で表される化合物の含有量が０．５質量％以下であることにより、洗浄液がインクと接触した際に、顔料が凝集することを抑制できる。
【００２０】
水溶性有機溶媒としては、特に限定されないが、エチレングリコール、ジエチレングリコール、トリエチレングリコール、ポリエチレングリコール、ポリプロピレングリコール、１，３−ブタンジオール、３−メチル−１，３−ブタンジオール、１，５−ペンタンジオール、１，６−へキサンジオール、１，８−オクタンジオール、グリセリン、ジグリセリン、１，２，３−ブタントリオール、１，２，４−ブタントリオール、１，２，６−へキサントリオール、ペトリオール等の多価アルコール；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル；エチレングリコールモノフェニルエーテル、エチレングリコールモノベンジルエーテル等の多価アルコールアリールエーテル、Ｎ−メチル−２−ピロリドン、Ｎ−ヒドロキシエチル−２−ピロリドン、２−ピロリドン、１，３−ジメチルイミダゾリジノン、ε−カプロラクタム等の含窒素複素環化合物；ホルムアミド、Ｎ−メチルホルムアミド、Ｎ，Ｎ−ジメチルホルムアミド等のアミド；モノエタノールアミン、ジエタノールアミン、トリエタノールアミン、モノエチルアミン、ジエチルアミン、トリエチルアミン等のアミン；ジメチルスルホキシド、スルホラン、チオジエタノール等の含硫黄化合物；プロピレンカーボネート、エチレンカーボネート、γ−ブチロラクトン等が挙げられ、二種以上併用してもよい。中でも、洗浄液から水分が蒸発しても粘度の上昇を抑制できることから、２３℃、８０％ＲＨ環境中の平衡水分量が３０質量％以上の多価アルコールが好ましい。
【００２１】
２３℃、８０％ＲＨ環境中の平衡水分量が３０質量％以上の多価アルコールとしては、１，２，３−ブタントリオール、１，２，４−ブタントリオール、グリセリン、ジグリセリン、ジエチレングリコール、トリエチレングリコール、テトラエチレングリコール、１，３−ブタンジオール等が挙げられる。中でも、グリセリンが好ましい。
【００２２】
洗浄液中の水溶性有機溶媒の含有量は、通常、５〜２０質量％程度である。
【００２３】
洗浄液は、一般式（１）、（２）で表される化合物以外の界面活性剤、ｐＨ調整剤、防腐防黴剤等をさらに含有してもよい。
【００２４】
一般式（１）、（２）で表される化合物以外の界面活性剤としては、特に限定されないが、フッ素系界面活性剤、アニオン性界面活性剤、カチオン性界面活性剤、ノニオン性界面活性剤、両性界面活性剤等が挙げられる。
【００２５】
フッ素系界面活性剤としては、一般式
【００２６】
【化３】
2015186906.tif 000004
（式中、Ｒ１及びＲ３は、それぞれ独立に、水素原子、炭素数が１〜６のアルコキシ基又は炭素数が１〜６のパーフルオロアルキル基であり、Ｒ２及びＲ４は、それぞれ独立に、炭素数が１〜６のパーフルオロアルキル基であり、ｍ及びｎは、それぞれ独立に、０以上の整数であり、ｐ、ｑ及びｒは、それぞれ独立に、１以上の整数である。）
で表される化合物等が挙げられる。
【００２７】
アニオン性界面活性剤としては、アルキルアリールスルホン酸塩、アルキルリン酸塩、アルキル硫酸塩、アルキルスルホン酸塩、アルキルエーテル硫酸塩、アルキルスルホコハク酸塩、アルキルエステル硫酸塩、アルキルベンゼンスルホン酸塩、アルキルジフェニルエーテルジスルホン酸塩、アルキルアリールエーテルリン酸塩、アルキルアリールエーテル硫酸塩、アルキルアリールエーテルエステル硫酸塩、オレフィンスルホン酸塩、アルカンオレフィンスルホン酸塩、ポリオキシエチレンアルキルエーテルリン酸塩、ポリオキシエチレンアルキルエーテル硫酸エステル塩、エーテルカルボキシレート、スルホコハク酸塩、α−スルホ脂肪酸エステル、脂肪酸塩、高級脂肪酸とアミノ酸の縮合物、ナフテン酸塩等が挙げられる。
【００２８】
カチオン性界面活性剤としては、アルキルアミン塩、ジアルキルアミン塩、脂肪族アミン塩、ベンザルコニウム塩、４級アンモニウム塩、アルキルピリジニウム塩、イミダゾリニウム塩、スルホニウム塩、ホスホニウム塩等が挙げられる。
【００２９】
ノニオン性界面活性剤としては、ポリオキシエチレンアルキルエーテル、ポリオキシエチレンアルキルアリルエーテル、ポリオキシエチレンアルキルフェニルエーテル、ポリオキシエチレングリコールエステル、ポリオキシエチレン脂肪酸アミド、ポリオキシエチレン脂肪酸エステル、ポリオキシエチレンポリオキシプロピレングリコール、グリセリンエステル、ソルビタンエステル、ショ糖エステル、グリセリンエステルのポリオキシエチレンエーテル、ソルビタンエステルのポリオキシエチレンエーテル、ソルビトールエステルのポリオキシエチレンエーテル、脂肪酸アルカノールアミド、アミンオキシド、ポリオキシエチレンアルキルアミン、グリセリン脂肪酸エステル、ソルビタン脂肪酸エステル、ポリオキシエチレンソルビタン脂肪酸エステル、ポリオキシエチレンソルビトール脂肪酸エステル、アルキル（ポリ）グリコキシド等が挙げられる。
【００３０】
両性界面活性剤としては、イミダゾリニウムベタイン等のイミダゾリン誘導体、ジメチルアルキルラウリルベタイン、アルキルグリシン、アルキルビス（アミノエチル）グリシン等が挙げられる。
【００３１】
ｐＨ調整剤としては、特に限定されないが、水酸化リチウム、水酸化ナトリウム、水酸化カリウム等のアルカリ金属の水酸化物；炭酸リチウム、炭酸ナトリウム、炭酸カリウム等のアルカリ金属の炭酸塩；４級アンモニウムの水酸化物；ジエタノールアミン、トリエタノールアミン等のアミン；水酸化アンモニウム；４級ホスホニウムの水酸化物等が挙げられる。
【００３２】
防腐防黴剤としては、特に限定されないが、１，２−ベンズイソチアゾリン−３−オン、安息香酸ナトリウム、デヒドロ酢酸ナトリウム、ソルビン酸ナトリウム、ペンタクロロフェノールナトリウム、２−ピリジンチオール−１−オキサイドナトリウム等が挙げられる。
【００３３】
図１に、インクジェット記録装置の一例を示す。
【００３４】
インクジェット記録装置は、装置本体１０１と、装置本体１０１に装着した用紙を装填するための給紙トレイ１０２と、装置本体１０１に装着されており、画像が記録された用紙をストックするための排紙トレイ１０３と、インクカートリッジ装填部１０４を有する。インクカートリッジ装填部１０４の上面には、操作キー、表示器等を有する操作部１０５が配置されている。インクカートリッジ装填部１０４は、インクカートリッジ２０１の脱着を行うための開閉可能な前カバー１１５を有している。なお、１１１は上カバー、１１２は装置の前面である。
【００３５】
装置本体１０１内には、図２及び図３に示すように、左右の側板（不図示）により支持されているガイドロッド１３１とステー１３２により、キャリッジ１３３が摺動自在に保持されており、主走査モータ（不図示）により、主走査方向Ｘに移動走査される。
【００３６】
キャリッジ１３３には、イエロー（Ｙ）、シアン（Ｃ）、マゼンタ（Ｍ）、ブラック（Ｂｋ）の各色のインク滴を吐出する４個のインクジェットヘッド１３４が、インク吐出口が主走査方向Ｘと交差する方向に配列されており、インク滴の吐出方向を下方に向けて装着されている。
【００３７】
インクジェットヘッド１３４は、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ等のインクを吐出するためのエネルギー発生手段として備える。
【００３８】
また、キャリッジ１３３には、インクジェットヘッド１３４に各色のインクを供給するための各色のサブタンク１３５が搭載されている。サブタンク１３５には、インク供給チューブ（不図示）を介して、インクカートリッジ装填部１０４に装填されたインクカートリッジ２０１からインクが供給されて補充される。
【００３９】
一方、装置本体１０１は、給紙トレイ１０２の用紙載置部（圧板）１４１上に積載されている用紙１４２を給紙するための給紙部として、用紙載置部１４１から用紙１４２を１枚ずつ分離給送する給紙コロ（半月コロ）１４３と、給紙コロ１４３に対向し、摩擦係数の大きい材質からなる分離パッド１４４を備える。分離パッド１４４は、給紙コロ１４３側に付勢されている。
【００４０】
また、装置本体１０１は、給紙部から給紙された用紙１４２をインクジェットヘッド１３４の下方側で搬送するための搬送部として、用紙１４２を静電吸着して搬送するための搬送ベルト１５１と、給紙部からガイド１４５を介して給紙される用紙１４２を搬送ベルト１５１との間に挟んで搬送するためのカウンタローラ１５２と、略鉛直上方に搬送される用紙１４２の搬送方向を略９０°転換して搬送ベルト１５１上に倣わせるための搬送ガイド１５３と、押さえ部材１５４で搬送ベルト１５１側に付勢された先端加圧コロ１５５を備える。さらに、装置本体１０１は、搬送ベルト１５１の表面を帯電させるための帯電ローラ１５６を備える。
【００４１】
搬送ベルト１５１は、無端状ベルトであり、搬送ローラ１５７とテンションローラ１５８により支持されており、ベルト搬送方向Ｙに周回可能である。
【００４２】
搬送ベルト１５１は、厚さが４０μｍ程度の樹脂（例えば、テトラフルオロエチレンとエチレンの共重合体（ＥＴＦＥ））で形成した用紙吸着面となる表層と、表層と同じ材質でカーボンにより抵抗が制御されている裏層（中抵抗層、アース層）を有する。搬送ベルト１５１の裏側には、インクジェットヘッド１３４による記録領域に対応して、ガイド部材１６１が配置されている。
【００４３】
なお、装置本体１０１は、インクジェットヘッド１３４で記録された用紙１４２を排紙するための排紙部として、搬送ベルト１５１から用紙１４２を分離するための分離爪１７１と、排紙ローラ１７２と、排紙コロ１７３を備えており、排紙ローラ１７２の下方に、排紙トレイ１０３が配置されている。
【００４４】
装置本体１０１の背面部には、両面給紙ユニット１８１が着脱自在に装着されている。両面給紙ユニット１８１は、搬送ベルト１５１が逆方向に回転することにより戻される用紙１４２を取り込んで反転させて、再度、カウンタローラ１５２と搬送ベルト１５１の間に給紙する。なお、両面給紙ユニット１８１の上面には、手差し給紙部１８２が設けられている。
【００４５】
インクジェット記録装置においては、給紙部から用紙１４２が１枚ずつ分離給紙され、略鉛直上方に給紙された用紙１４２は、ガイド１４５により案内され、搬送ベルト１５１とカウンタローラ１５２の間に挟まれて搬送される。さらに、用紙１４２は、先端が搬送ガイド１５３により案内されて、先端加圧コロ１５５で搬送ベルト１５１に押し付けられ、搬送方向を略９０°転換される。
【００４６】
このとき、帯電ローラ１５６により搬送ベルト１５１が帯電しており、用紙１４２は、搬送ベルト１５１に静電吸着されて搬送される。そこで、キャリッジ１３３を移動させながら、画像信号に応じてインクジェットヘッド１３４を駆動することにより、停止している用紙１４２にインク滴を吐出して１行分を記録する。次に、用紙１４２を所定量搬送した後、次の行を記録する。さらに、記録終了信号又は用紙１４２の後端が記録領域に到達した信号を受けることにより、記録動作を終了して、用紙１４２を排紙トレイ１０３に排紙する。
【００４７】
そして、サブタンク１３５内のインクの残量ニアーエンドが検知されると、インクカートリッジ２０１から所要量のインクがサブタンク１３５に供給される。
【００４８】
インクカートリッジ２０１は、図４に示すように、インク袋２４１に注入口２４２からインクを充填し、インク袋２４１に残留した空気を排気した後、注入口２４２を融着することにより閉じる。使用時には、ゴム部材からなる排出口２４３に装置本体１０１の針を刺してサブタンク１３５にインクを供給する。インク袋２４１は、プラスチック製のカートリッジケース２４４内に収容されている。
【００４９】
インク袋２４１は、透気性のないアルミニウムラミネートフィルム等の包装部材により形成されている。
【００５０】
インクカートリッジ２０１は、インクジェット記録装置に着脱可能に装着して用いる。インクカートリッジ２０１中のインクを使い切ったときには、カートリッジケース２４４を分解して内部のインク袋２４１だけを交換することができる。また、インクカートリッジ２０１は、縦置きで前面装填構成としても、安定にインクを供給することができる。したがって、装置本体１０１の上方が塞がって設置されているような場合、例えば、ラック内に収納する、あるいは、装置本体１０１の上面に物が置かれているような場合であっても、インクカートリッジ２０１を容易に交換することができる。
【００５１】
なお、ここでは、キャリッジが走査するシリアル型（シャトル型）インクジェット記録装置について説明したが、ライン型ヘッドを備えたライン型インクジェット記録装置も同様に用いることができる。
【００５２】
インクジェット記録装置としては、特に限定されないが、インクジェットプリンター、ファクシミリ装置、複写装置、プリンター／ファックス／コピア複合機等が挙げられる。
【００５３】
インクジェット記録装置のインク流路を洗浄する際には、洗浄液をインク流路内に供給し、排出する工程を繰り返せばよい。
【００５４】
インクジェット記録装置のインク流路を洗浄する方法としては、特に限定されないが、インクカートリッジ２０１の代わりに、洗浄液が充填されているカートリッジを装着して、洗浄液をインク流路に供給し、排出する工程を繰り返す方法、外部から洗浄液をインク流路に加圧供給する方法、インクジェットヘッド１３４の側から外部のポンプを用いて、洗浄液を吸引する方法等が挙げられる。
【００５５】
洗浄液が充填されているカートリッジは、インクカートリッジ２０１において、インクの代わりに、洗浄液を充填することにより、作製することができる。
【００５６】
なお、インクジェット記録装置のインク流路を洗浄する際には、インクジェットヘッド１３４を用いて、吐出しない程度の微駆動による振動を印加してもよい。これにより、インクの洗浄性を向上させることができる。
【００５７】
また、インクジェット記録装置のインク流路を洗浄した後、必要に応じて、インク流路に洗浄液を充填することもできる。
【００５８】
次に、インク流路に充填されているインクについて説明する。
【００５９】
インクは、通常、色材、水、水溶性有機溶媒及び界面活性剤を含有し、樹脂、ｐＨ調整剤、防腐防黴剤、防錆剤、水溶性紫外線吸収剤、水溶性赤外線吸収剤等をさらに含有してもよい。
【００６０】
色材としては、公知の顔料や染料を適宜使用することができる。
【００６１】
無機顔料としては、特に限定されないが、酸化チタン、酸化鉄、炭酸カルシウム、硫酸バリウム、水酸化アルミニウム、バリウムイエロー、カドミウムレッド、クロムイエロー、カーボンブラック等が挙げられる。
【００６２】
カーボンブラックの製造方法としては、特に限定されないが、コンタクト法、ファーネス法、サーマル法等が挙げられる。
【００６３】
有機顔料としては、特に限定されないが、アゾ顔料（例えば、アゾレーキ、不溶性アゾ顔料、縮合アゾ顔料、キレートアゾ顔料）、多環式顔料（例えば、フタロシアニン顔料、ペリレン顔料、ペリノン顔料、アントラキノン顔料、キナクリドン顔料、ジオキサジン顔料、インジゴ顔料、チオインジゴ顔料、イソインドリノン顔料、キノフラロン顔料）、染料キレート（例えば、塩基性染料型キレート、酸性染料型キレート）、ニトロ顔料、ニトロソ顔料、アニリンブラック等が挙げられる。
【００６４】
なお、顔料（例えば、カーボン）の表面に、スルホン基、カルボキシル基等の官能基を導入し、水中に分散することが可能な自己分散顔料としてもよいし、顔料をマイクロカプセルに包含させ、水中に分散することが可能なものとしてもよい。
【００６５】
インク中の顔料の含有量は、通常、０．５〜２５質量％程度であり、２〜１５質量％程度であることが好ましい。
【００６６】
顔料の最大頻度径は、通常、２０〜１５０ｎｍである。顔料の最大頻度径が１５０ｎｍを超えると、保存安定性、吐出安定性及び画像濃度が低下することがある。一方、最大頻度径が２０ｎｍ未満の顔料を製造することは困難である。
【００６７】
顔料を分散させる際には、公知の分散剤を適宜使用することができる。
【００６８】
分散剤としては、特に限定されないが、高分子分散剤、水溶性界面活性剤等が挙げられる。
【００６９】
樹脂は、画像定着性の向上、画質の向上、顔料分散性の向上等の目的で、必要に応じて、添加する。
【００７０】
樹脂としては、特に限定されないが、アラビアガム、トラガンガム、グーアガム、カラヤガム、ローカストビーンガム、アラビノガラクトン、ペクチン、クインスシードデンプン等の植物性高分子；アルギン酸、カラギーナン、寒天等の海藻系高分子；ゼラチン、カゼイン、アルブミン、コラーゲン等の動物系高分子；キサンテンガム、デキストラン等の微生物系高分子；メチルセルロース、エチルセルロース、ヒドロキシエチルセルロース、ヒドロキシプロピルセルロース、カルボキシメチルセルロース等の繊維素系高分子；デンプングリコール酸ナトリウム、デンプンリン酸エステルナトリウム等のデンプン系高分子；アルギン酸ナトリウム、アルギン酸ブロピレングリコールエステル等の海藻系高分子；ポリアクリル酸、ポリメタクリル酸、アクリル酸−アクリロニトリル共重合体、酢酸ビニル−アクリル酸エステル共重合体、アクリル酸−アクリル酸アルキルエステル共重合体、スチレン−アクリル酸共重合体、スチレン−メタクリル酸共重合体、スチレン−アクリル酸−アクリル酸アルキルエステル共重合体、スチレン−メタクリル酸−アクリル酸アルキルエステル共重合体、スチレン−α−メチルスチレン−アクリル酸共重合体、スチレン−α−メチルスチレン−アクリル酸共重合体、アクリル酸アルキルエステル共重合体、スチレン−マレイン酸共重合体、ビニルナフタレン−マレイン酸共重合体、酢酸ビニル−エチレン共重合体、酢酸ビニル−脂肪酸ビニルエチレン共重合体、酢酸ビニル−マレイン酸エステル共重合体、酢酸ビニル−クロトン酸共重合体、酢酸ビニル−アクリル酸共重合体等及びこれらの塩等が挙げられる。
【００７１】
樹脂は、樹脂エマルジョンであってもよい。
【００７２】
樹脂エマルジョンとは、樹脂粒子が水中に分散しているものであり、必要に応じて、分散剤（例えば、界面活性剤）をさらに含有してもよい。
【００７３】
樹脂エマルジョン中の樹脂粒子の含有量は、通常、１０〜７０質量％程度である。
【００７４】
樹脂粒子の平均粒径は、通常、１０〜１０００ｎｍであり、２０〜３００ｎｍであることが好ましい。
【００７５】
樹脂粒子を構成する樹脂としては、特に限定されないが、アクリル系樹脂、酢酸ビニル系樹脂、スチレン系樹脂、ブタジエン系樹脂、スチレン−ブタジエン系樹脂、塩化ビニル系樹脂、アクリルスチレン系樹脂、アクリルシリコーン系樹脂等が挙げられる。中でも、アクリルシリコーン系樹脂が好ましい。
【００７６】
樹脂エマルジョンの市販品としては、スチレン−アクリル系樹脂エマルジョンのマイクロジェルＥ−１００、Ｅ−２００２、Ｅ−５００２（以上、日本ペイント社製）、スチレン−アクリル系樹脂エマルジョンのボンコート５４５４（ＤＩＣ製）、スチレン−アクリル系樹脂エマルジョンのジョンクリル７７５（ジョンソンポリマー社製）、スチレン−アクリル系樹脂エマルジョンのＳＡＥ１０１４（日本ゼオン社製）、アクリル系樹脂エマルジョンのサイビノールＳＫ−２００（サイデン化学社製）、アクリル系樹脂エマルジョンのプライマルＡＣ−２２、ＡＣ−６１（以上、ローム・アンド・ハース社製）、アクリル−シリコーン系樹脂エマルジョンのナノクリルＳＢＣＸ−２８２１、３６８９（以上、東洋インキ社製）、メタクリル酸メチル重合体樹脂エマルジョン＃３０７０（御国色素社製）等が挙げられる。
【００７７】
インク中の樹脂粒子の含有量は、通常、０．１〜５０質量％であり、０．５〜２０質量％であることが好ましく、１〜１０質量％であることがさらに好ましい。
【００７８】
水溶性有機溶媒、界面活性剤、ｐＨ調整剤、防腐防黴剤は、洗浄液と同様である。
【００７９】
インクは、色材、水溶性有機溶媒、界面活性剤を含有する組成物を水中に分散又は溶解させることにより製造することができる。
【００８０】
組成物を水中に溶解又は分散させる際に用いる分散機としては、特に限定されないが、サンドミル、ホモジナイザー、ボールミル、ペイントシャイカー、超音波分散機等が挙げられる。
【実施例】
【００８１】
本実施例において、部は、質量部を意味する。
【００８２】
＜ポリマー溶液の調製＞
機械式攪拌機、温度計、窒素ガス導入管、還流管及び滴下ロートを備えた１Ｌのフラスコ内を窒素ガスで置換した後、スチレン１１．２ｇ、アクリル酸２．８ｇ、ラウリルメタクリレート１２ｇ、ポリエチレングリコールメタクリレート４ｇ、スチレンマクロマー４ｇ、メルカプトエタノール０．４ｇ及びメチルエチルケトン４０ｇを投入し、６５℃まで昇温した。次に、スチレン１００．８ｇ、アクリル酸２５．２ｇ、ラウリルメタクリレート１０８ｇ、ポリエチレングリコールメタクリレート３６ｇ、ヒドロキシルエチルメタクリレート６０ｇ、スチレンマクロマー３６ｇ、メルカプトエタノール３．６ｇ、アゾビスメチルバレロニトリル２．４ｇ及びメチルエチルケトン３４２ｇの混合液を２．５時間かけて、フラスコ内に滴下した。さらに、アゾビスメチルバレロニトリル０．８ｇ及びメチルエチルケトン１８ｇの混合液を０．５時間かけて、フラスコ内に滴下した後、１時間熟成した。次に、アゾビスメチルバレロニトリル０．８ｇを添加した後、１時間熟成し、５０質量％のポリマー溶液８００ｇを得た。
【００８３】
＜イエロー顔料インクの調製＞
ポリマー溶液２８ｇ、２６ｇのＣ．Ｉ．ピグメントイエロー７４、１ｍｏｌ／Ｌの水酸化カリウム水溶液１３．６ｇ、メチルエチルケトン２０ｇ及び水１３．６ｇを攪拌した後、ロールミルを用いて混練した。得られたペーストを水２００ｇ中に投入して攪拌した後、エバポレータを用いて、メチルエチルケトン及び水を留去し、顔料の含有量が１５質量％、固形分が２０質量％のイエロー顔料を含有する樹脂の水分散体を得た。
【００８４】
１，３−ブタンジオール１５部、グリセリン１５部、フッ素系ノニオン性界面活性剤ポリフォックスＰＦ−１５１Ｎ（ＯＭＮＯＶＡ社製）１部及び１，８−オクタンジオール２部を１時間攪拌した後、イエロー顔料を含有する樹脂の水分散体４０部を添加した。次に、水２７部を添加して１時間撹拌した後、孔径が０．８μｍのセルロースアセテートメンブランフィルターを用いて加圧濾過して、粗大粒子を除去し、イエロー顔料インクを得た。
【００８５】
＜マゼンタ顔料インクの調製＞
ポリマー溶液１７．５ｇ、３２．５ｇのＣ．Ｉ．ピグメントレッド１２２、１ｍｏｌ／Ｌの水酸化カリウム水溶液８．５ｇ、メチルエチルケトン１３ｇ及び水１３．６ｇを攪拌した後、ロールミルを用いて混練した。得られたペーストを水２００ｇ中に投入して攪拌した後、エバポレータを用いて、メチルエチルケトン及び水を留去し、顔料の含有量が１５質量％、固形分が２０質量％のマゼンタ顔料を含有する樹脂の水分散体を得た。
【００８６】
３−メチル−１，３−ブタンジオール１５部、グリセリン１５部、フッ素系ノニオン性界面活性剤ゾニールＦＳＯ−１００（Ｄｕｐｏｎｔ社製）０．５部及び１，２−ヘキサンジオール１部を１時間攪拌した後、マゼンタ顔料を含有する樹脂の水分散体４０部を添加した。次に、水２８．５部を添加して１時間撹拌した後、孔径が０．８μｍのセルロースアセテートメンブランフィルターを用いて加圧濾過して、粗大粒子を除去し、マゼンタ顔料インクを得た。
【００８７】
＜実施例１＞
フッ素系ノニオン性界面活性剤Ｃａｐｓｔｏｎｅ（登録商標）  ＦＳ−３１００（Ｄｕｐｏｎｔ社製）０．５部、２，４，７，９−テトラメチル−４，７−デカンジオール０．１部、グリセリン５部、１，３−ブタンジオール２０部及び水７４．４部を混合し、洗浄液を得た。
【００８８】
なお、フッ素系ノニオン性界面活性剤Ｃａｐｓｔｏｎｅ（登録商標）  ＦＳ−３１００（Ｄｕｐｏｎｔ社製）は、一般式（１）において、ｎが７〜１７である化合物である。
【００８９】
＜実施例２＞
フッ素系ノニオン性界面活性剤Ｃａｐｓｔｏｎｅ（登録商標）  ＦＳ−３１００（Ｄｕｐｏｎｔ社製）０．１部、２，４，７，９−テトラメチル−４，７−デカンジオール０．４部、グリセリン１５部、１，３−ブタンジオール１５部及び水６９．５部を混合し、洗浄液を得た。
【００９０】
＜実施例３＞
フッ素系ノニオン性界面活性剤Ｃａｐｓｔｏｎｅ（登録商標）  ＦＳ−３１００（Ｄｕｐｏｎｔ社製）１部、２，４，７，９−テトラメチル−４，７−デカンジオール０．２部、グリセリン２０部、ジエチレングリコール５部及び水７３．８部を混合し、洗浄液を得た。
【００９１】
＜実施例４＞
フッ素系ノニオン性界面活性剤Ｃａｐｓｔｏｎｅ（登録商標）  ＦＳ−３１００（Ｄｕｐｏｎｔ社製）０．０１部、２，４，７，９−テトラメチル−４，７−デカンジオール０．２部、グリセリン１５部、３−メチル−１，３−ブタンジオール１５部及び水６９．７９部を混合し、洗浄液を得た。
【００９２】
＜実施例５＞
フッ素系ノニオン性界面活性剤Ｃａｐｓｔｏｎｅ（登録商標）  ＦＳ−３１００（Ｄｕｐｏｎｔ社製）０．０５部、２，４，７，９−テトラメチル−４，７−デカンジオール０．５部、グリセリン５部、１，３−ブタンジオール１０部、２−ピロリドン５部及び水７９．４５部を混合し、洗浄液を得た。
【００９３】
＜実施例６＞
フッ素系ノニオン性界面活性剤Ｃａｐｓｔｏｎｅ（登録商標）  ＦＳ−３１００（Ｄｕｐｏｎｔ社製）０．０５部、２，４，７，９−テトラメチル−４，７−デカンジオール０．６部、グリセリン５部、１，３−ブタンジオール１０部、１，８−オクタンジオール２部及び水８２．３５部を混合し、洗浄液を得た。
【００９４】
＜実施例７＞
フッ素系ノニオン性界面活性剤Ｃａｐｓｔｏｎｅ（登録商標）  ＦＳ−３１００（Ｄｕｐｏｎｔ社製）１．２５部、２，４，７，９−テトラメチル−４，７−デカンジオール１部、グリセリン１５部、１，３−ブタンジオール１５部及び水６７．７５部を混合し、洗浄液を得た。
【００９５】
＜実施例８＞
フッ素系ノニオン性界面活性剤Ｃａｐｓｔｏｎｅ（登録商標）  ＦＳ−３１００（Ｄｕｐｏｎｔ社製）０．７５部、２，４，７，９−テトラメチル−４，７−デカンジオール０．５５部、グリセリン１０部、３−メチル−１，３−ブタンジオール１５部、２−ピロリドン５部及び水６８．７部を混合し、洗浄液を得た。
【００９６】
＜実施例９＞
フッ素系ノニオン性界面活性剤Ｃａｐｓｔｏｎｅ（登録商標）  ＦＳ−３１００（Ｄｕｐｏｎｔ社製）２部、２，４，７，９−テトラメチル−４，７−デカンジオール０．０８部、グリセリン５部、１，３−ブタンジオール１０部、２−ピロリドン５部及び水７７．９２部を混合し、洗浄液を得た。
【００９７】
＜実施例１０＞
フッ素系ノニオン性界面活性剤Ｃａｐｓｔｏｎｅ（登録商標）  ＦＳ−３４（Ｄｕｐｏｎｔ社製）０．５部、２，４，７，９−テトラメチル−４，７−デカンジオール０．１部、グリセリン５部、１，３−ブタンジオール２０部及び水７４．４部を混合し、洗浄液を得た。
【００９８】
なお、フッ素系ノニオン性界面活性剤ＣａｐＳｔｏｎｅ（登録商標）  ＦＳ−３４（ＤｕＰｏｎｔ社製）は、一般式において、ｎが５〜２０である化合物である。
【００９９】
＜実施例１１＞
フッ素系ノニオン性界面活性剤Ｃａｐｓｔｏｎｅ（登録商標）  ＦＳ−３４（Ｄｕｐｏｎｔ社製）０．１部、２，４，７，９−テトラメチル−４，７−デカンジオール０．４部、グリセリン１５部、１，３−ブタンジオール１５部及び水６９．５部を混合し、洗浄液を得た。
【０１００】
＜実施例１２＞
フッ素系ノニオン性界面活性剤Ｃａｐｓｔｏｎｅ（登録商標）  ＦＳ−３４（Ｄｕｐｏｎｔ社製）１部、２，４，７，９−テトラメチル−４，７−デカンジオール０．２部、グリセリン２０部、ジエチレングリコール５部及び水７３．８部を混合し、洗浄液を得た。
【０１０１】
＜実施例１３＞
フッ素系ノニオン性界面活性剤Ｃａｐｓｔｏｎｅ（登録商標）  ＦＳ−３４（Ｄｕｐｏｎｔ社製）０．０１部、２，４，７，９−テトラメチル−４，７−デカンジオール０．２部、グリセリン１５部、３−メチル−１，３−ブタンジオール１５部及び水６９．７９部を混合し、洗浄液を得た。
【０１０２】
＜実施例１４＞
フッ素系ノニオン性界面活性剤Ｃａｐｓｔｏｎｅ（登録商標）  ＦＳ−３４（Ｄｕｐｏｎｔ社製）０．０５部、２，４，７，９−テトラメチル−４，７−デカンジオール０．５部、グリセリン５部、１，３−ブタンジオール１０部、２−ピロリドン５部及び水７９．４５部を混合し、洗浄液を得た。
【０１０３】
＜実施例１５＞
フッ素系ノニオン性界面活性剤Ｃａｐｓｔｏｎｅ（登録商標）  ＦＳ−３４（Ｄｕｐｏｎｔ社製）１．２５部、２，４，７，９−テトラメチル−４，７−デカンジオール１部、グリセリン１５部、１，３−ブタンジオール１５部及び水６７．７５部を混合し、洗浄液を得た。
【０１０４】
＜実施例１６＞
フッ素系ノニオン性界面活性剤Ｃａｐｓｔｏｎｅ（登録商標）  ＦＳ−３４（Ｄｕｐｏｎｔ社製）０．７５部、２，４，７，９−テトラメチル−４，７−デカンジオール０．５５部、グリセリン１０部、３−メチル−１，３−ブタンジオール１５部、２−ピロリドン５部及び水６８．７部を混合し、洗浄液を得た。
【０１０５】
＜実施例１７＞
フッ素系ノニオン性界面活性剤Ｃａｐｓｔｏｎｅ（登録商標）  ＦＳ−３０（Ｄｕｐｏｎｔ社製）０．５部、２，４，７，９−テトラメチル−４，７−デカンジオール０．１部、グリセリン５部、１，３−ブタンジオール２０部及び水７４．４部を混合し、洗浄液を得た。
【０１０６】
なお、フッ素系ノニオン性界面活性剤ＣａｐＳｔｏｎｅ（登録商標）  ＦＳ−３０（ＤｕＰｏｎｔ社製）は、一般式において、ｎが６〜２２である化合物である。
【０１０７】
＜実施例１８＞
フッ素系ノニオン性界面活性剤Ｃａｐｓｔｏｎｅ（登録商標）  ＦＳ−３０（Ｄｕｐｏｎｔ社製）０．１部、２，４，７，９−テトラメチル−４，７−デカンジオール０．４部、グリセリン１５部、１，３−ブタンジオール１５部及び水６９．５部を混合し、洗浄液を得た。
【０１０８】
＜実施例１９＞
フッ素系ノニオン性界面活性剤Ｃａｐｓｔｏｎｅ（登録商標）  ＦＳ−３１００（Ｄｕｐｏｎｔ社製）１部、２，４，７，９−テトラメチル−４，７−デカンジオール０．２部、グリセリン２０部、ジエチレングリコール５部及び水７３．８部を混合し、洗浄液を得た。
【０１０９】
＜実施例２０＞
フッ素系ノニオン性界面活性剤Ｃａｐｓｔｏｎｅ（登録商標）  ＦＳ−３０（Ｄｕｐｏｎｔ社製）０．０１部、２，４，７，９−テトラメチル−４，７−デカンジオール０．２部、グリセリン１５部、３−メチル−１，３−ブタンジオール１５部及び水６９．７９部を混合し、洗浄液を得た。
【０１１０】
＜実施例２１＞
フッ素系ノニオン性界面活性剤Ｃａｐｓｔｏｎｅ（登録商標）  ＦＳ−３０（Ｄｕｐｏｎｔ社製）０．０５部、２，４，７，９−テトラメチル−４，７−デカンジオール０．５部、グリセリン５部、１，３−ブタンジオール１０部、２−ピロリドン５部及び水７９．４５部を混合し、洗浄液を得た。
【０１１１】
＜実施例２２＞
フッ素系ノニオン性界面活性剤Ｃａｐｓｔｏｎｅ（登録商標）  ＦＳ−３０（Ｄｕｐｏｎｔ社製）１．２５部、２，４，７，９−テトラメチル−４，７−デカンジオール１部、グリセリン１５部、１，３−ブタンジオール１５部及び水６７．７５部を混合し、洗浄液を得た。
【０１１２】
＜実施例２３＞
フッ素系ノニオン性界面活性剤Ｃａｐｓｔｏｎｅ（登録商標）  ＦＳ−３０（Ｄｕｐｏｎｔ社製）０．７５部、２，４，７，９−テトラメチル−４，７−デカンジオール０．５５部、グリセリン１０部、３−メチル−１，３−ブタンジオール１５部、２−ピロリドン５部及び水６８．７部を混合し、洗浄液を得た。
【０１１３】
＜比較例１＞
フッ素系ノニオン性界面活性剤Ｃａｐｓｔｏｎｅ（登録商標）  ＦＳ−３１００（Ｄｕｐｏｎｔ社製）０．５部、グリセリン５部、１，３−ブタンジオール２０部及び水７４．５部を混合し、洗浄液を得た。
【０１１４】
＜比較例２＞
ノニオン性界面活性剤ユニセーフＡ−ＬＹ（ポリオキシエチレンヤシ油アルキルジメチルアミンオキシド）（日油社製）０．５部、グリセリン１５部、２−ピロリドン５部、１，８−オクタンジオール２部及び水７７．５部を混合し、洗浄液を得た。
【０１１５】
＜比較例３＞
アニオン性界面活性剤ＥＣＴＤ−３ＮＥＸ（ポリオキシエチレン（３）トリデシルエーテル酢酸ナトリウム）（日光ケミカルズ社製）１部、グリセリン２０部、ジエチレングリコール５部及び水７４部を混合し、洗浄液を得た。
【０１１６】
＜比較例４＞
フッ素系ノニオン性界面活性剤Ｃａｐｓｔｏｎｅ（登録商標）  ＦＳ−３１００（Ｄｕｐｏｎｔ社製）０．５部、Ｎ−オクチル−２−ピロリドン０．５部、グリセリン５部、１，３−ブタンジオール２０部及び水７４部を混合し、洗浄液を得た。
【０１１７】
＜比較例５＞
Ｃ４Ｆ９−ＣＨ２ＣＨ（ＯＨ）ＣＨ２Ｏ−（ＣＨ２ＣＨ２Ｏ）２１−Ｃ１２Ｈ２５０．１部、Ｎ−オクチル−２−ピロリドン０．４部、グリセリン１５部、３−メチル−１，３−ブタンジオール１５部及び水６９．５部を混合し、洗浄液を得た。
【０１１８】
＜比較例６＞
アニオン性界面活性剤ＥＣＴＤ−３ＮＥＸ（ポリオキシエチレン（３）トリデシルエーテル酢酸ナトリウム）（日光ケミカルズ社製）０．５部、グリセリン５部、１，３−ブタンジオール１０部、２−ピロリドン５部及び水７９．５部を混合し、洗浄液を得た。
【０１１９】
＜比較例７＞
両性界面活性剤ニッサンアノンＢＬ−ＳＦ（ラウリルジメチルアミノ酢酸ベタイン）（日油社製）０．５部、グリセリン５部、１，３−ブタンジオール１０部、１，８−オクタンジオール２部及び水８２．５部を混合し、洗浄液を得た。
【０１２０】
＜比較例８＞
有効成分が４０質量％のフッ素系ノニオン性界面活性剤ゾニールＦＳ−３００（Ｄｕｐｏｎｔ社製）０．５部、グリセリン５部、１，３−ブタンジオール１０部、１，８−オクタンジオール２部及び水８２．５部を混合し、洗浄液を得た。
【０１２１】
なお、フッ素系ノニオン性界面活性剤ゾニールＦＳ−３００（Ｄｕｐｏｎｔ社製）の有効成分は、一般式
【０１２２】
【化４】
2015186906.tif 000005
（式中、ｎは１〜４０の整数である。）
で表される化合物である。
【０１２３】
＜比較例９＞
有効成分が４０質量％のフッ素系ノニオン性界面活性剤ゾニールＦＳ−３００（Ｄｕｐｏｎｔ社製）１部、グリセリン５部、１，３−ブタンジオール１０部、１，８−オクタンジオール２部及び水８２部を混合し、洗浄液を得た。
【０１２４】
＜比較例１０＞
アニオン性界面活性剤ＥＣＴＤ−３ＮＥＸ（ポリオキシエチレン（３）トリデシルエーテル酢酸ナトリウム）（日光ケミカルズ社製）０．２部、ジエチレングリコール５部、１，３−ブタンジオール１０部、２−ピロリドン５部及び水７９．８部を混合し、洗浄液を得た。
【０１２５】
＜比較例１１＞
洗浄液として、水を用いた。
【０１２６】
次に、洗浄液の均一性、消泡性、インクとの混合性、インクの洗浄性及びインクの充填性を評価した。
【０１２７】
＜均一性＞
洗浄液を１時間静置した後の状態を目視で観察して、均一性を評価した。なお、成分の分離や不溶解物が無く、均一な状態である場合を○、成分の一部の分離又は不溶解物があり、不均一な状態である場合を×として、判定した。
【０１２８】
＜消泡性＞
２５℃の環境下、１００ｍＬのメスシリンダーに洗浄液１０ｍＬを入れた後、洗浄液と気泡の体積が１００ｍＬになるまで一定圧力の空気を注入し、気泡が全て消えるまでの時間を測定し、消泡性を評価した。なお、気泡が全て消えるまでの時間が６０秒未満である場合をＡＡ、６０秒以上１５０秒未満である場合をＡ、１５０秒以上３００秒未満である場合をＢ、３００秒以上６００秒未満である場合をＣ、６００秒以上である場合をＤとして、判定した。
【０１２９】
＜インクとの混合性＞
洗浄液９７部及びインク３部からなる混合液を６５℃で５０時間放置した後の外観の変化を目視で観察して、インクとの混合性を評価した。なお、混合液が分離していない場合を○、混合液に濃淡が見られる場合を△、混合液が分離している場合を×として、判定した。
【０１３０】
＜インクの洗浄性＞
インクジェットプリンターＩＰＳＩＯ  ＧＸ３０００（リコー社製）のインク流路内のインクを純水で置換した。次に、ブラック及びシアンのインクカートリッジの代わりに、マゼンタ顔料インクを充填したインクカートリッジ、マゼンタ及びイエローのインクカートリッジの代わりに、イエロー顔料インクを充填したインクカートリッジを取り付けた。さらに、初期充填動作を実施した後、ヘッドリフレッシング動作を１０回実施し、インク流路内のインクをマゼンタ顔料インク及びイエロー顔料インクに置換した。次に、ノズルチェックパターンを記録し、ノズル抜けが無くなるまでヘッドリフレッシング動作を実施した。さらに、４個のインクカートリッジの代わりに、洗浄液を充填したカートリッジを取り付けた後、ヘッドリフレッシング動作を６回実施した。次に、プリンターの維持ユニットを動作させ、各インクジェットヘッドから４．５ｃｃだけ吸引し、再び充填する動作を３回実施した。さらに、各インクジェットヘッドから２ｃｃ吸引し、ノズル面をワイピングすることにより、インク流路を洗浄した。最後に吸引した洗浄液の吸光度を測定し、洗浄液中の顔料の濃度を算出し、インクの洗浄性を評価した。なお、洗浄液中の顔料の濃度が２．００質量％未満である場合を○、２．００質量％以上４．００質量％未満である場合を△、４．００質量％以上である場合を×として、判定した。このとき、マゼンタ顔料及びイエロー顔料の濃度を算出する際に、それぞれ波長が５６３ｎｍ及び４２１ｎｍにおける吸光度を用いた。また、マゼンタ顔料インク及びイエロー顔料インクの吸光度を測定した後、それぞれ波長が５６３ｎｍ及び４２１ｎｍにおける吸光度を用いて、洗浄液中のマゼンタ顔料及びイエロー顔料の濃度を算出した。
【０１３１】
＜インクの充填性＞
インクの洗浄性を評価したインクジェットプリンターＩＰＳＩＯ  ＧＸ３０００（リコー社製）のノズル面に保湿キャップをした状態で、５０℃、６０％ＲＨ環境下、１ヶ月間放置した。次に、イエロー顔料インク及びマゼンタ顔料インクを充填したインクカートリッジを取り付けた後、初期充填動作を実施した。さらに、ノズルチェックパターンを記録し、吐出不良が発生しなくなるまでヘッドリフレッシング動作を実施し、インクの充填性を評価した。なお、ヘッドリフレッシング動作の実施回数が２回以下である場合を○、３回以上４回以下である場合を△、５回以上である場合を×として、判定した。
【０１３２】
表１に、洗浄液の均一性、消泡性、インクとの混合性、インクの洗浄性及びインクの充填性の評価結果を示す。なお、比較例３の洗浄液は、インクとの混合性が×であるため、インクの洗浄性及びインクの充填性の評価を省略した。
【０１３３】
【表１】
2015186906.tif 000006
【０１３４】
【表２】
2015186906.tif 000007
表１から、実施例１〜２３の洗浄液は、均一性、消泡性、インクとの混合性、インクの洗浄性及びインクの充填性に優れることがわかる。
【０１３５】
これに対して、比較例１、４の洗浄液は、一般式（２）で表される化合物を含有しないため、消泡性が低下し、インクの充填性が若干低下する。
【０１３６】
比較例２、６、７、１０の洗浄液は、一般式（１）で表される化合物及び一般式（２）で表される化合物を含有せず、非フッ素系界面活性剤を含有するため、消泡性、インクの洗浄性及びインクの充填性が低下し、インクとの混合性が若干低下する。
【０１３７】
比較例３の洗浄液は、一般式（１）で表される化合物を含有せず、非フッ素系界面活性剤を含有するため、インクとの混合性が低下する。
【０１３８】
比較例５の洗浄液は、一般式（１）で表される化合物を含有せず、フッ素系界面活性剤を含有するため、インクの洗浄性が若干低下する。
【０１３９】
比較例８、９の洗浄液は、一般式（１）で表される化合物及び一般式（２）で表される化合物を含有せず、フッ素系界面活性剤を含有するため、消泡性及びインクの充填性が低下する。
【０１４０】
比較例１１の洗浄液は水であるため、インクの洗浄性及びインクの充填性が低下する。
【先行技術文献】
【特許文献】
【０１４１】
【特許文献１】特開２０１３−１４１７８３号公報
【図１】
2015186906.tif 000010
【図２】
2015186906.tif 000011
【図３】
2015186906.tif 000012
【図４】
2015186906.tif 000013